(57)【要約】【課題】供給する負電圧にノイズやリップルが重畳しないようにして、出力映像信号の品質を向上させる。【解決手段】同期信号を含む入力映像信号Ｓ１１のシンクチップとペデスタルをクランプ回路１１によりクランプし、映像処理し、映像駆動信号として出力する映像処理回路１０と、該映像処理回路１０に要求される負電圧電源用としての負電圧−Ｖを発生するチャージポンプ回路２０とを有する。クランプ回路１１の出力信号から同期信号Ｓ２１を検出してチャージポンプ回路２０の駆動制御回路２１に入力し、その駆動制御回路２１から出力する駆動制御信号Ｓ１３により、出力回路２２のスイッチＳＷ１、ＳＷ２が同期信号期間のみオンされるようにする。【選択図】  図１
2007267148.tif 000002
【特許請求の範囲】
【請求項１】
同期信号を含む入力映像信号のシンクチップあるいはペデスタルをクランプ回路によりクランプし、映像処理し、映像駆動信号として出力する映像処理回路と、該映像処理回路に要求される負電圧電源用としての負電圧を発生するチャージポンプ回路とを有する映像回路において、
前記クランプ回路の出力信号から同期信号を検出する同期信号検出手段を備え、前記チャージポンプ回路は、前記同期信号を入力して前記同期信号のパルス期間だけチャージ用コンデンサへの充電を実行するようにしたことを特徴とする映像回路。
【請求項２】
同期信号を含む入力映像信号のシンクチップあるいはペデスタルをクランプ回路によりクランプし、映像処理し、映像駆動信号として出力する映像処理回路と、該映像処理回路に要求される負電圧電源用としての負電圧を発生するチャージポンプ回路とを有する映像回路において、
前記クランプ回路の出力信号から同期信号を検出する同期信号検出手段と、該同期信号検出手段で検出された同期信号の信号期間を映像期間にかからないよう伸張するパルス幅伸張手段を備え、前記チャージポンプ回路は、前記パルス幅伸張手段から出力する伸張パルス期間だけ、前記チャージ用コンデンサへの充電を実行するようにしたことを特徴とする映像回路。
【請求項３】
同期信号を含まない入力映像信号のペデスタルをクランプ回路によりクランプし、映像処理し、映像駆動信号として出力する映像処理回路と、該映像処理回路に要求される負電圧電源用としての負電圧を発生するチャージポンプ回路とを有する映像回路において、
前記クランプ回路にクランプパルスを入力するクランプパルス入力手段を備え、前記チャージポンプ回路は、前記クランプパルスを入力して前記クランプパルスのパルス期間だけチャージ用コンデンサへの充電を実行するようにしたことを特徴とする映像回路。
【請求項４】
同期信号を含まない入力映像信号のペデスタルをクランプ回路によりクランプし、映像処理し、映像駆動信号として出力する映像処理回路と、該映像処理回路に要求される負電圧電源用としての負電圧を発生するチャージポンプ回路とを有する映像回路において、
前記クランプ回路にクランプパルスを入力するクランプパルス入力手段と、該クランプパルスの信号期間を映像期間にかからないよう伸張するパルス幅伸張手段を備え、前記チャージポンプ回路は、前記パルス幅伸張手段から出力する伸張パルス期間だけ、前記チャージ用コンデンサへの充電を実行するようにしたことを特徴とする映像回路。
【発明の詳細な説明】
【技術分野】
【０００１】
本発明は、映像処理回路とチャージポンプ回路を備えた映像回路に係り、特にチャージポンプ回路で負電圧を発生させ、その負電圧を映像処理回路の負電源電圧として使用する場合に、その負電圧にノイズが含まれないようにして、映像信号品質が劣化しないようにした映像回路に関するものである。
【背景技術】
【０００２】
図９にチャージポンプ回路により発生した負電圧を負電源電圧として映像処理回路に供給する構成の映像回路の構成を示す。映像処理回路１０は、同期信号を含む入力映像信号Ｓ５１のシンクチップとペデスタルのレベルをクランプするクランプ回路１１、そのクランプ回路１１から出力する映像信号に対して種々の画像処理（色相調整、コントラスト調整、拡大、縮小、エッジ強調、その他の処理）を加える映像信号処理回路１２、その映像信号処理回路１２の出力信号を映像駆動信号に増幅して例えば７５Ωの負荷に供給する出力駆動回路１３を有する。出力駆動回路１３には、ダイナミックレンジ拡大化のために、正電源電圧＋Ｖと負電源電圧−Ｖが電源として供給される。Ｃ１は直流カット用のコンデンサである。なお、クランプ回路１１と映像信号処理回路１２には正電源電圧＋Ｖと接地電圧ＧＮＤが印加される。
【０００３】
６０は１００ＫＨｚ前後の周波数のパルスを発生するフリーラン発振器である。２０はチャージポンプ回路であり、フリーラン発振器６０から出力するフリーラン信号Ｓ５２を入力して駆動制御信号Ｓ５３を生成する駆動制御回路２１と、その駆動制御信号Ｓ５３によって駆動制御される出力回路２２からなり、出力回路２２から出力する負電圧−Ｖが映像処理回路１０の出力駆動回路１３に負電源電圧として供給される。
【０００４】
出力回路２２は、図１１に示すように、チャージ用コンデンサＣ２、出力用コンデンサＣ３、スイッチＳＷ１〜ＳＷ４からなり、駆動制御信号Ｓ５３によって、その信号Ｓ５３がＨレベルのときはスイッチＳＷ１，ＳＷ２をオン、スイッチＳＷ３，ＳＷ４をオフし、ＬレベルのときはスイッチＳＷ１，ＳＷ２をオフ、スイッチＳＷ３，ＳＷ４をオンし、これにより、コンデンサＣ２，Ｃ３には図示の極性の電荷が充電され、負電圧−Ｖが生成される。
【０００５】
一方、フリーラン発振器６０を使用せす、入力映像信号から同期信号を抽出し、その同期信号に基づいて連続パルスを生成し、この連続パルスをチャージポンプ回路に入力して、負電圧を生成し、この負電圧をメインアンプ（図９の出力駆動回路１３に相当）に供給するようにした特許文献１に記載のアンプがある。
【０００６】
前記した図９に示す映像回路および前記特許文献１に示されるアンプによれば、出力駆動回路１３に正電源電圧＋Ｖと負電源電圧−Ｖが印加されるので、ダイナミックレンジの拡大化を図ることができる。
【特許文献１】特開２００５−１５１４６８号公報
【発明の開示】
【発明が解決しようとする課題】
【０００７】
ところが、図９の映像回路では、フリーラン発振器６０で発生するフリーラン信号Ｓ５２に基づき駆動制御信号Ｓ５３が生成され、この駆動制御信号Ｓ５３によって出力回路２２のスイッチＳＷ１〜ＳＷ４のオン／オフが連続的に行われるので、生成される負電圧−Ｖに対して、入力映像信号Ｓ５１の映像期間でもノイズやリップルが重畳し、その影響が出力映像信号Ｓ５４にも現れる（図１０参照）ので、画面上でビートノイズ等を発生させてしまう。
【０００８】
また、特許文献１のアンプにおいても、チャージポンプ回路が連続パルスによって駆動されるので、上記した図９の映像回路と同様に、出力映像信号にそのノイズやリップルが重畳し、画面上でビートノイズ等を発生させてしまう。
【０００９】
本発明の目的は、供給する負電圧に映像期間においてノイズやリップルが重畳しないようにして、出力映像信号の品質を向上させた映像回路を提供することである。
【課題を解決するための手段】
【００１０】
上記目的を達成するために、請求項１にかかる発明は、同期信号を含む入力映像信号のシンクチップあるいはペデスタルをクランプ回路によりクランプし、映像処理し、映像駆動信号として出力する映像処理回路と、該映像処理回路に要求される負電圧電源用としての負電圧を発生するチャージポンプ回路とを有する映像回路において、前記クランプ回路の出力信号から同期信号を検出する同期信号検出手段を備え、前記チャージポンプ回路は、前記同期信号を入力して前記同期信号のパルス期間だけチャージ用コンデンサへの充電を実行するようにしたことを特徴とする。
請求項２にかかる発明は、同期信号を含む入力映像信号のシンクチップあるいはペデスタルをクランプ回路によりクランプし、映像処理し、映像駆動信号として出力する映像処理回路と、該映像処理回路に要求される負電圧電源用としての負電圧を発生するチャージポンプ回路とを有する映像回路において、前記クランプ回路の出力信号から同期信号を検出する同期信号検出手段と、該同期信号検出手段で検出された同期信号の信号期間を映像期間にかからないよう伸張するパルス幅伸張手段を備え、前記チャージポンプ回路は、前記パルス幅伸張手段から出力する伸張パルス期間だけ、前記チャージ用コンデンサへの充電を実行するようにしたことを特徴とする。
請求項３にかかる発明は、同期信号を含まない入力映像信号のペデスタルをクランプ回路によりクランプし、映像処理し、映像駆動信号として出力する映像処理回路と、該映像処理回路に要求される負電圧電源用としての負電圧を発生するチャージポンプ回路とを有する映像回路において、前記クランプ回路にクランプパルスを入力するクランプパルス入力手段を備え、前記チャージポンプ回路は、前記クランプパルスを入力して前記クランプパルスのパルス期間だけチャージ用コンデンサへの充電を実行するようにしたことを特徴とする。
請求項４にかかる発明は、同期信号を含まない入力映像信号のペデスタルをクランプ回路によりクランプし、映像処理し、映像駆動信号として出力する映像処理回路と、該映像処理回路に要求される負電圧電源用としての負電圧を発生するチャージポンプ回路とを有する映像回路において、前記クランプ回路にクランプパルスを入力するクランプパルス入力手段と、該クランプパルスの信号期間を映像期間にかからないよう伸張するパルス幅伸張手段を備え、前記チャージポンプ回路は、前記パルス幅伸張手段から出力する伸張パルス期間だけ、前記チャージ用コンデンサへの充電を実行するようにしたことを特徴とする。
【発明の効果】
【００１１】
本発明によれば、チャージポンプ回路が入力映像信号の映像期間内では駆動されないので、チャージポンプ回路で発生する負電圧にノイズやリップルが重畳することはなく、この負電圧を負電圧電源として映像処理回路に供給しても、その映像処理回路から出力する映像信号の品質が負電圧を起因として劣化することはない。
【発明を実施するための最良の形態】
【００１２】
[第１の実施例]
図１は本発明の第１の実施例の映像回路の構成を示すブロック図、図２はその動作波形図である。映像処理回路１０は、図９の構成と同様に、同期信号を含む入力映像信号Ｓ１１のシンクチップとペデスタルのレベルをクランプするクランプ回路１１、そのクランプ回路１１から出力する映像信号に対して種々の画像処理（色相調整、コントラスト調整、拡大、縮小、エッジ強調、その他の処理）を加える映像信号処理回路１２、その映像信号処理回路１２の出力信号を映像駆動信号に増幅して例えば７５Ωの負荷に供給する出力駆動回路１３を有する。出力駆動回路１３には、ダイナミックレンジ拡大化のために、正電源電圧＋Ｖと負電源電圧−Ｖが電源として供給される。Ｃ１は直流カット用のコンデンサである。なお、クランプ回路１１と映像信号処理回路１２には正電源電圧＋Ｖと接地電圧ＧＮＤが印加される。
【００１３】
３０は同期信号検出手段としての同期信号検出回路であり、クランプ回路１１でクランプされたシンクチップ部分の先端エッジと後エッジに基づき同期信号Ｓ１２を検出する。２０はチャージポンプ回路であり、同期信号Ｓ１２を入力して駆動制御信号Ｓ１３を生成する駆動制御回路２１と、その駆動制御信号Ｓ１３によって制御される出力回路２２からなり、出力回路２２から出力する負電圧−Ｖが映像処理回路１０の出力駆動回路１３に負電源電圧として供給される。
【００１４】
出力回路２２は、図１１に示すように、チャージ用コンデンサＣ２、出力用コンデンサＣ３、スイッチＳＷ１〜ＳＷ４からなり、駆動制御信号Ｓ１３によって、その信号Ｓ１３がＨレベルのときはスイッチＳＷ１，ＳＷ２をオン、スイッチＳＷ３，ＳＷ４をオフし、ＬレベルのときはスイッチＳＷ１，ＳＷ２をオフ、スイッチＳＷ３，ＳＷ４をオンし、これにより、コンデンサＣ２，Ｃ３には図示の極性の電荷が充電され、負電圧−Ｖが生成される。
【００１５】
以上により、本実施例では、チャージポンプ回路２０の出力回路２２のチャージ用コンデンサＣ２が、同期信号期間だけしかチャージされないので、出力用コンデンサＣ３に蓄積される負電圧−Ｖは図２の(d)に示すような波形を呈する。すなわち、負電圧−Ｖが入力映像信号Ｓ１１の映像期間において脈動することはなく、出力映像信号にノイズやリップルが重畳して画面上でビートノイズ等を発生させてしまうようなことは起こらない。
【００１６】
[第２の実施例]
図３は本発明の第２の実施例の映像回路の構成を示すブロック図、図４はその動作波形図である。ここでは、図１で説明した映像回路において、同期信号検出回路３０とチャージポンプ回路２０の間に、パルス幅伸張手段としての検波時定数回路４０と比較回路５０を挿入した。検波時定数回路４０は、同期信号検出回路３０で検出された同期信号Ｓ２２を入力して、その立下りを遅延させた検波時定数信号Ｓ２３を生成する。比較回路５０は閾値Ｖｔｈが設定され、検波時定数信号Ｓ２３の立下りがその閾値Ｖｔｈを下回ると、出力レベルを低下させることで、検波同期信号Ｓ２２のパルス幅を伸張させる。ただし、その伸張時間は入力映像信号Ｓ２１の映像期間にはかからない時間である。このため、駆動制御信号Ｓ２５はパルス幅が伸張される。
【００１７】
したがって、この第２の実施例の映像回路では、負電圧−Ｖが入力映像信号Ｓ２１の映像期間において脈動することを防止できるのみならず、出力回路２２のスイッチＳＷ１，ＳＷ２がオンしている時間が第１の実施例（図１、２）の映像回路における場合よりも長くなるので、その分だけコンデンサＣ２に充電される電荷量が多くなり、消費された電荷に対する補充量を高くすることができ、駆動能力を高めることができる。また、このようにコンデンサＣ２に蓄積される電荷量を大きくできるので、それが消費された際に補充する電荷量が少なくて済み、スイッチＳＷ１，ＳＷ２をトランジスタで構成する際のサイズを小さくすることができ、ＩＣ化面積を小さくできる。
【００１８】
[第３の実施例]
図５は本発明の第３の実施例の映像回路の構成を示すブロック図、図６はその動作波形図である。ここでは、クランプ回路１１Ａに同期信号を含まない映像信号（ＲＧＢの内の１つの信号）Ｓ３１を入力し、この映像信号用のクランプパルスＳ３２をクランプパルス入力手段としての入力端子１１１から入力して、クランプ回路１１Ａでのペデスタルクランプ動作を行わせるようにしたものである。この場合は、第１の実施例（図１、図２）で説明した同期信号Ｓ１２に代えて、クランプパルスＳ３２をチャージポンプ回路２０に入力することで、第１の実施例と同様に、入力映像信号Ｓ３１の映像期間において脈動しない負電圧−Ｖを発生させることができる。
【００１９】
[第４の実施例]
図７は本発明の第４の実施例の映像回路の構成を示すブロック図、図８はその動作波形図である。ここでも、クランプ回路１１Ａに同期信号を含まない映像信号（ＲＧＢの内の１つの信号）Ｓ４１を入力し、この映像信号用のクランプパルスＳ４２をクランプパルス入力手段としての入力端子１１１から入力して、クランプ回路１１でのペデスタルクランプ動作を行わせるようにしたものである。この場合は、第２の実施例（図３、図４）で説明した同期信号Ｓ２２に代えて、クランプパルスＳ４２を検波時定数回路４０に入力することで、第２の実施例と同様に、入力映像信号Ｓ４１の映像期間において脈動しない負電圧−Ｖを発生させることができ、且つチャージポンプ回路２０の駆動能力の増大化および面積の削減が可能となる。
【００２０】
[その他の実施例]
なお、以上の各実施例では、チャージポンプ回路２０で発生した負電圧を映像処理回路１０の出力駆動回路１３にのみ供給したが、映像信号処理回路１２が正負両電源方式である場合には、そこにも供給する。また、チャージポンプ回路２０の出力用コンデンサＣ３は、映像処理回路１０の側に外付けで取り付けても良い。さらにまた、ｎチャネルの映像処理回路を設け、それらの出力駆動回路に負電圧を供給するチャージポンプ回路として、１ないしｎ個の出力回路を設ける構成とすることも可能である。
【図面の簡単な説明】
【００２１】
【図１】第１の実施例の映像回路の構成を示すブロック図である。
【図２】図１の映像回路の動作波形図である。
【図３】第２の実施例の映像回路の構成を示すブロック図である。
【図４】図３の映像回路の動作波形図である。
【図５】第３の実施例の映像回路の構成を示すブロック図である。
【図６】図５の映像回路の動作波形図である。
【図７】第４の実施例の映像回路の構成を示すブロック図である。
【図８】図７の映像回路の動作波形図である。
【図９】従来の映像回路の構成を示すブロック図である。
【図１０】図９の映像回路の動作波形図である。
【図１１】チャージポンプ回路の出力回路の回路図である。
【符号の説明】
【００２２】
１０：映像処理回路、１１，１１Ａ：クランプ回路、１１１：クランプパルスの入力端子、１２：映像信号処理回路、１３：出力駆動回路
２０：チャージポンプ回路、２１：駆動制御回路、２２：出力回路
３０：同期信号検出回路
４０：検波時定数回路
５０：比較回路
６０：フリーラン発振器
【図１】
2007267148.tif 000003
【図２】
2007267148.tif 000004
【図３】
2007267148.tif 000005
【図４】
2007267148.tif 000006
【図５】
2007267148.tif 000007
【図６】
2007267148.tif 000008
【図７】
2007267148.tif 000009
【図８】
2007267148.tif 000010
【図９】
2007267148.tif 000011
【図１０】
2007267148.tif 000012
【図１１】
2007267148.tif 000013